(57)【要約】【課題】リールの所定位置に対応する矩形領域の周囲を明るくかつ均一に照明できるようにする。【解決手段】板状の導光体１１と、この導光体１１の背面側に設けられる反射シート１３と、導光体１１の前面側に設けられる拡散シート１８と、導光体１１の上下の端縁に沿ってそれぞれ配備される冷陰極ランプ１６，１７と、各冷陰極ランプ１６，１７を覆うランプリフレクタ１６，１７とを含む照明装置を、スロットマシンのリールの前面に配備する。導光体１１の裏面には、ドット印刷による拡散パターンが形成されているが、中央パネル１のリール表示窓１ａに対応する矩形部分１１ａは拡散パターンが形成されない透光部となっている。また反射シート１３および拡散シート１８のリールの所定位置に対向する部分には、それぞれ矩形の切り欠き穴１３ａ，１８ａが形成されている。【選択図】図４
2006181372.tif 000002
【特許請求の範囲】
【請求項１】
周面に複数のシンボルが付与されたリールが複数個並設されたリール装置と、このリール装置の前方に配備されて、機体の前面側に向かう面状の照明光を発光する照明装置とを具備する遊技機であって、
前記照明装置は、透光性部材により構成された平板状の導光体と、前記導光体の背面側に設けられる反射シートと、前記導光体の前面側に設けられる拡散シートと、前記導光体の上下の端縁に沿ってそれぞれ配備される一対の冷陰極ランプとを具備し、
前記導光体の背面には、ドット印刷による拡散パターンが形成されるとともに、前記各リールの所定位置に対向する部分に、前記拡散パターンが形成されていない矩形領域が設けられており、
前記反射シートおよび拡散シートは、それぞれ前記拡散パターンが形成されていない矩形領域に対応する部分が矩形状にくりぬかれており、これらのくり抜き部分および前記導光体の前記矩形領域に対応する厚み部分を介して、前記各リールの所定位置のシンボルを機体外部の前面側から視認できるように構成されている照明装置付きの遊技機。
【請求項２】
周面に複数のシンボルが付与されたリールが複数個並設されたリール装置と、このリール装置の前方に配備されて、機体の前面側に向かう面状の照明光を発光する照明装置とを具備する遊技機であって、
前記照明装置は、透光性部材により構成された平板状の導光体と、前記導光体の背面側に設けられる反射シートと、前記導光体の前面側に設けられる拡散シートとを具備し、
前記導光体の背面には、ドット印刷による拡散パターンが形成されるとともに、前記各リールの所定位置に対向する部分に、前記拡散パターンが形成されていない矩形領域が設けられており、
前記反射シートおよび拡散シートは、それぞれ前記拡散パターンが形成されていない矩形領域に対応する部分が矩形状にくりぬかれており、これらのくり抜き部分および前記導光体の前記矩形領域に対応する厚み部分を介して、前記各リールの所定位置のシンボルを機体外部の前面側から視認できるように構成され、
前記照明装置は、前記各リールの所定位置のシンボルを照明するために水平に配備された上下一対の冷陰極ランプを具備し、前記一対の冷陰極ランプに対し、それぞれそのランプからの光を反射させるためのランプリフレクタが、前記冷陰極ランプの長さ方向に沿って設けられている照明装置付きの遊技機。
【請求項３】
前記照明装置は、前記一対の冷陰極ランプからの光を、導光体を介してリールを視認可能な矩形領域の上下位置から照明装置の背後に向けて放出することにより、前記各リールの周面の前記透光部に対応する部分を照明する請求項１または２に記載された照明装置付きの遊技機。
【請求項４】
請求項１〜３のいずれかに記載された遊技機において、
透光性を有し、かつ遊技内容に関する情報を表示するためのパネルが、前記照明装置の前面の前記各リールの視認が可能な領域およびその周囲の面状発光領域を覆うように配置されている照明装置付きの遊技機。
【請求項５】
請求項１〜４のいずれかに記載された遊技機において、
前記照明装置の前記導光体の背面の拡散パターンは、前記冷陰極ランプに対向する端面から離れた領域ほど間隔が密になるように設定されている照明装置付きの遊技機。
【発明の詳細な説明】
【技術分野】
【０００１】
この発明は、機体内部に並設された複数のリールの回転および停止表示を、各リールの所定位置に対向する位置に設定された矩形領域から視認しながら遊技を実行する遊技機（スロットマシンやパチンコ機など）であって、特に前記矩形領域の周囲やその背後のリールを明るく照明するための照明装置が組み込まれた遊技機に関する。
【背景技術】
【０００２】
パチンコ機やスロットマシンなどの遊技機では、機種毎のキャラクタや種々の表示が装飾的に印刷された正面パネルのほぼ中央に、遊技内容を表示する液晶画面やリール装置などの可変表示部が配置されている。
図１０は、従来のスロットマシンの正面図である。マシン正面には中央パネル１０１と、上飾りパネル１０２と、下飾りパネル１０３とが設けられている。中央パネル１０１には、背面側に配置されたリール装置の表示を視認できるように中央部にリール表示窓１０１ａが設けられ、またこのリール表示窓１０１ａ周囲に遊技に必要なメダル投入枚数表示器などの表示部１０１ｂが設けられている。
【０００３】
図１１は、図１０に示したスロットマシンのXI−XI′線断面を示す要部断面図である。また図１２は、図１１における中央パネル１０１部を拡大した拡大断面図である。
中央パネル１０１の背面側には、複数のリール１０４が並設されている。各リール１０４の周面にはそれぞれ複数のシンボルが付与されている。また、各リール１０４の回転は、リール駆動装置１０５によって制御される。
また、中央パネル１０１の背面側上部には蛍光灯１０７が取り付けられており、この蛍光灯１０７によってリール１０４が照明される。これにより、リール表示窓１０１ａをとおして、外部からリール１０４のシンボルを視認できる。なお、この蛍光灯１０７は中央パネル１０１の照明を兼ねている。
また、中央パネル１０１の背面側には、各種表示器のランプ１０６が配置されている。各ランプ１０６は中央パネル１０１に形成された表示部１０１ｂと対向するように配置されている。
【０００４】
一方、上飾りパネル１０２の背面側中央部には、パネル照明用の蛍光灯１０８が近接配置されている。また、下飾りパネル１０３の背面側にも同様に、蛍光灯１０９が近接配置されている。
明るい装飾パネル照明を行なうのに、ランプ類を用いることも考えられる。しかしこの場合、多数のランプが必要になるとともに、電気配線が複雑になる。このため、上記したように蛍光灯１０７〜１０９が一般的に使用されている。
【発明の開示】
【発明が解決しようとする課題】
【０００５】
上記構成のスロットマシンのように、リール照明を兼ねた蛍光灯１０７で中央パネル１０１を照明すると、中央パネル１０１を通して蛍光灯１０７の陰が見えることがあった。
本発明は、上記の問題点を解決して、前面のパネルのリール表示窓の周囲を明るくかつ均一に照明できるようにすることを目的とする。
【課題を解決するための手段】
【０００６】
この発明にかかる遊技機は、周面に複数のシンボルが付与されたリールが複数個並設されたリール装置と、このリール装置の前方に配備されて、機体の前面側に向かう面状の照明光を発光する照明装置とを具備する。
【０００７】
この発明にかかる第１の遊技機では、前記照明装置は、透光性部材により構成された平板状の導光体と、前記導光体の背面側に設けられる反射シートと、前記導光体の前面側に設けられる拡散シートと、前記導光体の上下の端縁に沿ってそれぞれ配備される一対の冷陰極ランプとを具備する。
前記導光体の背面には、ドット印刷による拡散パターンが形成されるとともに、前記各リールの所定位置に対向する部分に、前記拡散パターンが形成されていない矩形領域が設けられる。また前記反射シートおよび拡散シートは、それぞれ前記拡散パターンが形成されていない矩形領域に対応する部分が矩形状にくりぬかれており、これらのくり抜き部分および前記導光体の前記矩形領域に対応する厚み部分を介して、前記各リールの所定位置のシンボルを機体外部の前面側から視認できるように構成されている。
【０００８】
またこの発明にかかる第２の遊技機も、第１の遊技機と同様に、前記照明装置は、透光性部材により構成された平板状の導光体と、前記導光体の背面側に設けられる反射シートと、前記導光体の前面側に設けられる拡散シートとを具備する。前記導光体の背面には、ドット印刷による拡散パターンが形成されるとともに、前記各リールの所定位置に対向する部分に、前記拡散パターンが形成されていない矩形領域が設けられ、前記反射シートおよび拡散シートは、それぞれ前記拡散パターンが形成されていない矩形領域に対応する部分が矩形状にくりぬかれており、これらのくり抜き部分および前記導光体の前記矩形領域に対応する厚み部分を介して、前記各リールの所定位置のシンボルを機体外部の前面側から視認できるように構成される。
【０００９】
さらに、前記照明装置は、前記各リールの所定位置のシンボルを照明するために水平に配備された上下一対の冷陰極ランプを具備し、前記一対の冷陰極ランプに対し、それぞれそのランプからの光を反射させるためのランプリフレクタが、前記冷陰極ランプの長さ方向に沿って設けられる。
【００１０】
上記の第１、第２の遊技機によれば、各冷陰極ランプから導光体に導入された光は背面の拡散パターンによって乱反射され、前面に導かれる。また導光体の背面から漏れた光も、反射シートにより反射されることによって、導光体の前面に導かれる。
これら導光体の前面に導かれた光は、さらに拡散シートに導入されて拡散し、面方向に均一な光となって、前記パネルを背後から照明する。一方、照明装置のリール表示窓に対応する矩形部分は、前記拡散パターン、反射シート、拡散シートを有しておらず、リールを視認することが可能な透光部として機能するので、遊技者は、矩形領域を介して各リールの周面のシンボルを視認することができる。
さらに、第２の遊技機によれば、各リールの所定位置のシンボルが前記各冷陰極ランプからの光により照明されるので、矩形領域から視認できる各リールのシンボルを効果的に明るく照明することができる。
【００１１】
この発明の好ましい態様の遊技機では、前記一対の冷陰極ランプからの光を、導光体を介してリールを視認可能な矩形領域の上下位置から照明装置の背後に向けて放出することにより、前記各リールの周面の前記透光部に対応する部分を照明する。
また他の好ましい態様の遊技機には、透光性を有し、かつ遊技内容に関する情報を表示するためのパネルが、前記照明装置の前面の前記各リールの視認が可能な領域およびその周囲の面状発光領域を覆うように配置される。この構成によれば、前記矩形領域の周囲に対応するパネル部分を明るく照明することができる。
【００１２】
さらに他の好ましい態様の遊技機では、前記照明装置の前記導光体の背面の拡散パターンは、前記冷陰極ランプに対向する端面から離れた領域ほど間隔が密になるように設定される。この構成により、前記矩形領域を除く導光体の前面からほぼ均一な光を放出させることができる。
【発明の効果】
【００１３】
この発明によれば、複数のリールが並設されたリール装置の前方に設けられた照明装置により、前方に向かって均一な面状の照明を施すことができるから、前記リール照明を兼ねた蛍光灯１０７により照明した場合のような陰の発生を防止することができる。また、各リールの所定位置のシンボルを機体外部の前面側から視認可能にしながら、リール表示窓の周囲を面状に明るく照明して、イルミネーション効果などのアピール性を向上することができる。
【発明を実施するための最良の形態】
【００１４】
以下、図面を参照して本発明の一実施の形態を説明する。
図１は、本発明による遊技機としてのスロットマシンの正面図である。図１に示したスロットマシンは、中央パネル１と上飾りパネル２と下飾りパネル３とからなる遊技装飾パネルを有している。中央パネル１には、背面側に配置されたリール装置の表示を視認できるように中央部にリール表示窓１ａが設けられ、またこのリール表示窓１ａの周囲にメダル投入枚数や入賞ライン選択、賭率などの各種表示器の表示部１ｂが設けられている。
【００１５】
図２は、図１に示したスロットマシンのII−II′線断面を示す要部断面図である。
中央パネル１の背面側には、複数のリール４が並設されている。各リール４の周面にはそれぞれ、遊技に使用する図柄などの複数のシンボルが付与されている。各リール４の回転はリール駆動装置５によって制御される。各リール４とリール駆動装置５とによりリール装置が構成される。中央パネル１は、各リール４の所定位置のシンボル（被照明対象）を外部から視認できるように、リール表示窓１ａが各リール４の所定位置と対向するように配置されている。
また、中央パネル１の背面側には、上記した各種表示器のランプ６が配置されている。各ランプ６は中央パネル１に形成された表示部１ｂと対向するように配置されている。
【００１６】
中央パネル１のリール４側には、照明装置１０が配置されている。この照明装置１０は、中央パネル１の背面側に、図示しない取付金具による固着、又は接着剤によって固定されている。この照明装置１０は、中央パネル１をイルミネーション照明するとともに、外部から視認する各リール４の所定位置をスポット照明するものである。
また、上飾りパネル２及び下飾りパネル３の背面側にはそれぞれ、パネル照明用の蛍光灯８，９が近接配置されている。
【００１７】
次に、図３〜図７を用いて、図２に示した照明装置１０の構成について説明する。
図３は、照明装置１０の斜視図である。また図４は、照明装置１０の一部の構成の展開図である。また図５は、図４における第２の導光体１１のＶ−Ｖ′断面を示す断面図である。また図６は、図４における第１の導光体１２の他の構成を示す斜視図である。また図７は、図１に示したスロットマシンのII−II′線断面の中央パネル部を拡大した部分断面図である。
【００１８】
第２の導光体１１は例えば厚さ４ｍｍ程度の平板であり、全体として矩形をしている。この導光体１１は、例えばアクリル系樹脂などの透光性部材で構成されている。
導光体１１の背面（すなわち、リール４側の面）１１ｄには、図５に示すように、反射手段として拡散パターン１１′が例えば水玉模様状にドット印刷されている。この拡散パターン１１′は、後述する光源側の端面１１ｃから導光体１１内に導入された光を、導光体１１の前面側（すなわち、中央パネル１側）に反射させるものである。
【００１９】
端面１１ｃから離れた領域ほど拡散パターン１１′が密になるように印刷を施して、端面１１ｃからの距離に応じて背面１１ｄにおける反射率を大きくすることによって、より均一な面状発光を得るようにしている。
ただし、シンボルが視認される各リール４の所定位置に対向する矩形の部分１１ａには拡散パターン１１′が施されていないので、この部分１１ａは板厚方向に透明になっている。また、各種表示器のランプ６に対向する部分１１ｂにも拡散パターン１１′が施されていないので、この部分１１ｂも板厚方向に透明になっている。
【００２０】
導光体１１の背面１１ｄには、この背面１１ｄからの漏光を前面１１ｅ側に反射する反射シート１３が配置されている。反射シート１３は、例えば白色のポリエステルフィルム材やアルミ薄膜に銀蒸着膜を形成したものが用いられる。この反射シート１３にも、各リール４の所定位置に対向する部分及びランプ６に対向する部分にそれぞれ矩形の切り欠き穴１３ａ，１３ｂが形成されている。
【００２１】
また図４に示すように、導光体１１の背面１１ｄ側には、反射シート１３を介して、導光体１１と同じ素材で同じ大きさに形成された第１の導光体１２が配置されている。ただし、この導光体１２には、各リール４の所定位置に対向する部分に、矩形の切り欠き穴１２ａが形成されている。
導光体１２の前面及び背面いずれの面にも導光体１１のような拡散パターン１１′が施されていない。このため、外周をなす端面のうち後述する光源側に配置された端面（一方の端面）１２ｃから導入された光は前面及び背面の両面で全反射され、切り欠き穴１２ａの端面のうち端面１２ｃと対向する近い側の端面１２ｆ（他方の端面）から放出される。
【００２２】
図４における導光体１２の代わりに、第１の導光体として、図６に示すような２枚の平板状透光性部材１２１，１２２によって構成された導光体１２′を用いても同様の効果が得られる。各透光性部材１２１，１２２はそれぞれ、互いに対向する一対の端面を有しており、一方の端面１２ｃが光源側に、他方の端面１２ｆが各リール４の所定位置側に向くように配置されている。導光体１２′にも拡散パターン１１′は施されていない。
図４及び図６における導光体１２，１２′はいずれも、リール４側の端面１２ｆが導光体１１の背面１１ｄに対して鋭角をなすように傾斜している。この端面１２ｆの角度は、端面１２ｆからの放射光が、外部から視認するリール４の所定位置に最も多く到達するように設定される。
以下、第１の導光体として図４における導光体１２を用いて説明を続ける。
【００２３】
導光体１１，１２の外周は同一面をなしており、この外周の互いに対向する２辺（すなわち、上記した端面１１ｃ及び１２ｃ）に沿って光源としての冷陰極ランプ１４，１５がそれぞれ配置されている。
この冷陰極ランプ１４，１５の両端の電極部は発光しないので、図３に示すように冷陰極ランプ１４，１５は電極部を含む非発光領域が、導光体１１，１２の各端面１１ｃ，１２ｃから突出するように配置されている。このようにして冷陰極ランプ１４，１５の発光領域のみを端面１１ｃ，１２ｃに近接させることにより、導光体１１の前面１１ｅに冷陰極ランプ１４，１５の非発光領域に起因する暗部が生じるのを防ぐことができる。
なお、光源としてＬＥＤアレイ、長尺状蛍光ランプなどを使用することもできる。また、光源は導光体１１，１２の外周の少なくとも一辺に沿って配置されればよい。
【００２４】
冷陰極ランプ１４は、導光体１１，１２の端面１１ｃ，１２ｃ側を除き、ランプリフレクタ１６で覆われている。このランプリフレクタ１６の両端は、各導光体１１，１２の端面１１ｃ，１２ｃの周縁に接着されている。ランプリフレクタ１６は、冷陰極ランプ１４から放射された光のうち、導光体１１，１２内に導入されなかった光を端面１１ｃ，１２ｃ側に反射するものである。
冷陰極ランプ１５も同様にランプリフレクタ１７で覆われている。ランプリフレクタ１６，１７には、例えばポリエステルフィルムの一面に銀蒸着膜が形成されたものが使用される。
【００２５】
さらに、導光体１１の前面１１ｅには、拡散シート１８が密着配置されている。この拡散シート１８は、例えばポリカボネート樹脂により形成され、導光体１１の前面１１ｅ側の面にはドット印刷による微細な拡散パターンが形成されている。この拡散パターンを形成することにより、導光体１１の前面１１ｅからの放射光を拡散させ、導光体１１の背面１１ｄに形成された拡散パターン１１′が遊技者の目に映らないようにしている。
なお、拡散シート１８にも各リール４の所定位置に対向する部分に矩形の切り欠き穴１８ａが形成され、またランプ６に対向する部分にも矩形の切り欠き穴１８ｂが形成されている。
【００２６】
上述したように、導光体１１の各リール４の所定位置と対向する部分１１ａには拡散パターン１１′が形成されていないので、この部分１１ａは板厚方向に透明になっている。さらに導光体１２、反射シート１３及び拡散シート１８にはそれぞれ切り欠き穴１２ａ，１３ａ，１８ａが形成されているので、照明装置１０の各リール４の所定位置と対向する部分には、図７に示すように、板厚方向に透明な透光部１０ａが形成される。
導光体１２の各種表示器のランプ６と対向する部分には切り欠き穴が形成されていないが、導光体１２には拡散パターンが施されていないので、導光体１２は全体的に板厚方向に透明である。このため各リール４の所定位置と対向する部分と同様に、ランプ６と対向する部分には板厚方向に透明な透光部１０ｂが形成される（図９参照）。
【００２７】
中央パネル１などの遊技装飾パネルはガラス又はアクリル樹脂を素材とし、リール表示窓１ａを除き、背面側の印刷面１′に遊技内容に関する情報などの装飾印刷が施されている。特に、表示部１ｂに対応する印刷面１′にはメダル投入枚数や入賞ライン選択などの表示が印刷されており、後述するように照明装置１０とは別の各種表示器のランプ６による点灯表示に供される。これらの装飾は後方光源による照明光を透過させる程度の厚さで印刷されている。
図７に示すように、中央パネル１の印刷面１′側に拡散シート１８を介して導光体１１の前面１１ｅを対向させて、照明装置１０の面状発光により印刷面１′を照明する。このとき、中央パネル１のリール表示窓１ａに照明装置１０の透光部１０ａを対向させる。
【００２８】
次に、図８を用いて照明装置１０の動作を説明する。図８は、照明装置１０の動作を説明するための説明図である。図８では、冷陰極ランプ１４，１５の放射光を点線で示しており、断面記号の一部を省略している。
冷陰極ランプ１４から放射された光は、一部が各導光体１１，１２の端面１１ｃ，１２ｃに直接入射され、残りはランプリフレクタ１６により乱反射されて各導光体１１，１２の端面１１ｃ，１２ｃに入射される。冷陰極ランプ１５から放射された光も同様にして、各導光体１１，１２の端面１１ｃ，１２ｃに入射される。
【００２９】
導光体１１の端面１１ｃから導入された光は、導光体１１内を透過して、拡散パターン１１′により乱反射され、中央パネル１側の前面１１ｅから放出される。また、拡散パターン１１′が形成されている背面１１ｄから漏れた光は反射シート１３により反射され、同じく導光体１１の前面１１ｅから放出される。
拡散パターン１１′はグラディエーションをもつように形成されているので、中央パネル１のリール表示窓１ａ及び表示部１ｂに対向する部分を除き、前面１１ｅからはほぼ均一な光が放射される。
導光体１１の前面１１ｅから拡散シート１８に導入された光は、拡散シート１８の光拡散機能により拡散され、面方向に均一な光となって中央パネル１のリール表示窓１ａ及び表示部１ｂを除く印刷面１′を照明する。
【００３０】
図１０に示した従来のスロットマシンのようにリール照明を兼ねた蛍光灯１０７でパネル照明すると、中央パネル１０１を通して蛍光灯１０７の陰が見えることがあった。
しかし、図１に示したスロットマシンでは照明装置１０を用いることにより、中央パネル１におけるリール表示窓１ａ及び表示部１ｂの周囲を明るく、しかも均一に裏側照明できる。このため中央パネル１の輝度斑がなくなるので、表示品位が向上する。また、リール表示窓１ａ及び表示部１ｂの周囲が前方に明るく発光するので、イルミネーション効果などのアピール性が向上する。
【００３１】
一方、導光体１２には導光体１１のような拡散パターン１１′が形成されていないので、導光体１２の端面１２ｃから導入された光は導光体１２の前面及び背面の両方で全反射され、リール４側の端面１２ｆから放出される。この端面１２ｆから放出された光は、外部からシンボルが視認される各リール４の所定位置を照らす。
【００３２】
このように冷陰極ランプ１４，１５から放射された光を導光体１２で導いてライトガイドとして機能させることにより、リール４の周面全体ではなく、照明したい部分だけをスポット照明できる。これにより、中央パネル１のリール表示窓１ａを通して外部から視認する各リール４の所定位置を効果的に明るく照明できる。
また、導光体１２の各リール４側の端面１２ｆは上述したように傾斜しており、この端面１２ｆから放出される光は各リール４の所定位置に向けられるので、各リール４の所定位置が更に明るくなる。
【００３３】
リール４の所定位置で反射された光は、反射シート１３の切り欠き穴１３ａ、導光体１１、拡散シート１８の切り欠き穴１８ａ、中央パネル１のリール表示窓１ａを通って、外部に放出される。これにより、遊技者はリール表示窓１ａからリール４周面のシンボルを視認できる。
【００３４】
図９は、図１に示したスロットマシンのIX−IX′線断面の中央パネル部を拡大した部分断面図である。
中央パネル１の各種表示器の表示部１ｂには、照明装置１０を介して、表示器のランプ６が対向配置されている。上述したように、中央パネル１の表示部１ｂには照明装置１０の透光部１０ｂが接している。
したがって、ランプ６から放射された光は、導光体１２の背面から導光体１２内に導入され、反射シート１３の切り欠き穴１３ｂ、導光体１１、拡散シート１８の切り欠き穴１８ｂを通過して、中央パネル１の表示部１ｂの印刷面１′を照明する。これにより表示部１ｂの印刷が点灯表示されるので、遊技者は表示器による表示を視認できる。
なお、ランプ６の代わりに発光ダイオードを使用しても同様の効果が得られることはいうまでもない。
【００３５】
ところで、図１０に示した従来のスロットマシンでは、上述したように蛍光灯１０７をリール照明とパネル照明とに兼用している。このため、蛍光灯１０７で効果的にパネル照明すべく、図１１に示したように、蛍光灯１０７を中央パネル１０１の後方にできるだけ離間して配置する必要があった。リール４は蛍光灯１０７の位置を基に設置されるので、これにより従来のスロットマシンの奥行きは厚くなる。
これに対して、図１に示したスロットマシンでは、リール４の周面をスポット照明する導光体１２は薄い平板で形成され、しかも中央パネル１を照明する導光体１１に反射シート１３を介して接着されている。したがって、リール４を導光体１１に近接して配置できる。このため、図１に示したスロットマシンでは、従来のスロットマシンよりも奥行きを薄くすることができる。
【００３６】
なお、本発明による遊技機は、パネルの背面側に被照明対象が配置され、パネルの一部に形成された表示窓部をとおして被照明対象を見る構成を有するものに適用できるので、例えばパチンコ機やアミューズメントゲーム機器などの遊技機にも適用できる。
【図面の簡単な説明】
【００３７】
【図１】本発明の一実施例としてのスロットマシンの正面図である。
【図２】スロットマシンのII−II′線断面を示す要部断面図である。
【図３】照明装置の斜視図である。
【図４】照明装置の一部の構成の展開図である。
【図５】第２の導光体のＶ−Ｖ′断面を示す断面図である。
【図６】第１の導光体の他の構成を示す斜視図である。
【図７】スロットマシンのII−II′線断面の中央パネル部を拡大した部分断面図である。
【図８】照明装置の動作を説明するための説明図である。
【図９】スロットマシンのIX−IX′線断面の中央パネル部を拡大した部分断面図である。
【図１０】従来のスロットマシンの正面図である。
【図１１】従来のスロットマシンのXI−XI′線断面を示す要部断面図である。
【図１２】図１１における中央パネル部を拡大した部分断面図である。
【符号の説明】
【００３８】
１  中央パネル
１ａ  リール表示窓
１ｂ  表示部
１′  印刷面
４  リール
１０  照明装置
１０ａ，１０ｂ  透光部
１１  導光体
１１ｄ  背面
１１ｅ  前面
１１′  拡散パターン
１３ａ，１８ａ  切り欠き穴
１３  反射シート
１４，１５  冷陰極ランプ
１６，１７  ランプリフレクタ
１８  拡散シート
【図１】
2006181372.tif 000003
【図２】
2006181372.tif 000004
【図３】
2006181372.tif 000005
【図４】
2006181372.tif 000006
【図５】
2006181372.tif 000007
【図６】
2006181372.tif 000008
【図７】
2006181372.tif 000009
【図８】
2006181372.tif 000010
【図９】
2006181372.tif 000011
【図１０】
2006181372.tif 000012
【図１１】
2006181372.tif 000013
【図１２】
2006181372.tif 000014